(57)【要約】 【課題】ホースバンドなどの取付具を使用することなく球移送ホースを所要部位に取り付けることができる球移送ホースの取付構造を提供する。【解決手段】球を第１個所から第２個所へ移送するための球移送ホースの取付構造であって、球移送ホース１の外周面に、螺旋状の凹溝部１１を設け、第１個所には連結器５を接続する。連結器５には、球移送ホース１の差込筒５４を設けたうえに、差込筒５４の内側に、球移送ホース１を係止するための複数の突片６を、凹溝部１１に沿わせて螺旋状に配置する。差込筒５４を断面四角形の角形筒状のものとして、差込筒の各側面に突片６を設けることができ、また、差込筒５４に、球移送ホース１の差し込み位置を確認するための、覗き窓５９を設けることもできる。【選択図】図１
2008113706.tif 000002
【特許請求の範囲】
【請求項１】
球を第１個所から第２個所へ移送するための球移送ホースの取付構造であって、
球移送ホースの外周面に、螺旋状の凹溝部を設け、
第１個所には球移送ホースの差込筒を設けたうえに、
この差込筒の内側に、球移送ホースを係止するための複数の突片を、前記凹溝部に沿わせて螺旋状に配置したことを特徴とする球移送ホースの取付構造。
【請求項２】
差込筒を断面四角形の角形筒状のものとして、差込筒の各側面の内側に突片を設けた請求項１に記載の球移送ホースの取付構造。
【請求項３】
差込筒に、球移送ホースの差し込み位置を確認するための、覗き窓を設けた請求項１又は２に記載の球移送ホースの取付構造。  
【請求項４】
第１個所に連結器を接続しこの連結器に差込筒を設けて、差込筒を連結器を介して第１個所に設けた請求項１〜３の何れかに記載の球移送ホースの取付構造。
【請求項５】
連結器の内部に、樹脂製の球落とし込み部を設け、この球落とし込み部の下部に差込筒を連設した請求項４に記載の球移送ホースの取付構造。
【発明の詳細な説明】
【技術分野】
【０００１】
本発明は、パチンコ機設置島内を球が循環する遊技球自動補給回収装置において用いられる球移送ホースの取付構造に関するものである。
【背景技術】
【０００２】
従来の遊技球自動補給回収装置において用いられてきた球移送ホースの取付構造を、図７〜９により説明する。図７は、球移送ホース１が配設されたパチンコ機設置島を示す図であって、球移送ホース１は、上部の誘導樋２から送り込まれた球を、下部の球貯留タンク３に移送する。この球移送ホース１として、図８に示すような透明の合成樹脂からなる蛇腹管が広く用いられ、その取付具として、図９に示すようなホースバンド４が用いられてきた。例えば、誘導樋２の下部に球移送ホース１を外挿するための差込筒を設け、この差込筒に球移送ホース１を差し込んだうえ、ホースバンド４により球移送ホース１を締め付けて固定していた。
【０００３】
しかしながら、上記のような従来の取付構造は、ホースバンド４という取付具を必要とするほか、締め付けに当たってはドライバーなどの工具を使用せねばならず、取付作業が煩わしいという問題があった。
【特許文献１】特開２００４−１４１６０９号公報  (図３)
【発明の開示】
【発明が解決しようとする課題】
【０００４】
本発明は、上記した従来の問題点に鑑み、ホースバンドなどの取付具を使用することなく球移送ホースを所要部位に取り付けることができる球移送ホースの取付構造を提供することを課題とする。
【課題を解決するための手段】
【０００５】
上記の課題を解決するためになされた本発明の球移送ホースの取付構造は、球を第１個所から第２個所へ移送するための球移送ホースの取付構造であって、
球移送ホースの外周面に、螺旋状の凹溝部を設け、
第１個所には球移送ホースの差込筒を設けたうえに、
この差込筒の内側に、球移送ホースを係止するための複数の突片を、前記凹溝部に沿わせて螺旋状に配置したことを特徴とするものである。
【０００６】
上記した発明において、差込筒を断面四角形の角形筒状のものとして、差込筒の各側面の内側に突片を設けることができ、また、差込筒に、球移送ホースの差し込み位置を確認するための、覗き窓を設けることもできる。
【０００７】
また、第１個所に連結器を接続しこの連結器に差込筒を設けて、差込筒を連結器を介して第１個所に設けることができ、前記連結器の内部に、樹脂製の球落とし込み部を設け、この球落とし込み部の下部に差込筒を連設することができる。
【発明の効果】
【０００８】
請求項１に係る発明は、差込筒の内側に複数の突片を螺旋状に配置したので、球移送ホースを回転させつつ差込筒にねじ込むことによって、突片を球移送ホースの凹溝部に食い込ませて、球移送ホースを第１個所に取り付けることができる。
請求項２に係る発明は、差込筒を断面四角形の角形筒状のものとしたので、差込筒の各側面に、突片を板金加工やプレス加工によって容易に設けることができる。したがって、差込筒を、旋盤加工などによって内部に螺旋溝を有するものとした場合と比較して、加工が容易で量産性に優れ低コストで製造することができる。
請求項３に係る発明は、覗き窓によって球移送ホースの差込状況を確認することができる。
請求項４に係る発明は、連結器を介して球を球移送ホースに円滑に導入することができる。
請求項５に係る発明は、球落とし込み部を樹脂製のものとしたので、球の傷つきや連結器の損傷を防止することができる。
【発明を実施するための最良の形態】
【０００９】
以下に、本発明の実施形態を図面に基づき説明する。図１は、第１個所である誘導樋２に接続された球移送ホース１の接続構造を示す図であって、この接続構造において、誘導樋２は上段側誘導樋２１と下段側誘導樋２２とからなり、上段側誘導樋２１の端部に連結器５が接続されている。下段側誘導樋２２内においては、球は右左に輸送されて球が不足した遊技機に球を輸送する。上段側誘導２１は遊技機島内に球を循環させるためのものであって、図において左側から連結器５に向けて球が輸送される。尚、２３はゴミよけカバーである。
【００１０】
連結器５は、概略形状重箱状であって、底面５１を有し、上段側通路２１とつながる部分は開放された球の取り込み口５２となっており、その反対側には球の流れを一側に偏向させるための偏向板５３が立設されている。連結器５は、一側に角形の差込筒５４を２個所に備え、この差込筒５４に球移送ホース１が差し込まれている。また、差込筒５４の上方には、樹脂製の球落とし込み部材５５が装着されている。尚、底面５１は、球落とし込み部材５５の方に低く傾斜されているので、球は図２中矢印の方向に流れる。
【００１１】
球落とし込み部材５５は、図３に示すような樹脂製のものであって、仕切壁５６の左右に球の取り込み凹部５７を有している。取り込み凹部５７の底面は球落とし込み部材５５の両端に向けて低く傾斜しその端部には球送出口５８が設けられている。そして、この球送出口５８に球移送ホース１が接続されている。球移送ホース１は外周面に螺旋状の凹溝部１１が形成されたものである。尚、球落とし込み部材５５は、左右のものを一体に成形してもよいし、左右別々に成形したものを合体させて用いることもできる。
【００１２】
差込筒５４の詳細構造を図４、５に示す。この差込筒５４は、外径が角形の筒状のものであって、４つの側面Ａ、Ｂ、Ｃ、Ｄを有する。それぞれの側面Ａ〜Ｄの下部には、球移送ホース１を係止するための突片６が、上向きで内側に曲げられて設けられている。この突片６は、螺旋状の凹溝部１１の傾斜に沿って位置するように、図５に示すように少しずつ位置をずらして設けてある。したがって、球移送ホース１を回転させつつ差込筒５４に挿入したばあいには、図６に示すように、突片６を凹溝部１１に食い込ませつつ球移送ホース１を挿入することができるので、凹溝部１１に突片６を食い込ませて、球移送ホース１を差込筒５４に抜け落ちることなく装着することができる。
【００１３】
尚、差込筒５４には適宜覗き窓５９を設けてあるので、球移送ホース１の差込状況を必要に応じ確認することができる。以上のような差込筒５４は上側樋２１に直接取り付けることもできる。
【００１４】
以上に述べたように、差込筒５４の内側に複数の突片６を螺旋状に配置したので、球移送ホース１を回転させつつ差込筒５４にねじ込むことによって、突片６を球移送ホース１の凹溝部１１に食い込ませて、球移送ホース１を誘導樋２に容易に取り付けることができる。したがって、ホースバンドなどの部品を使用する必要がない。
また、球落とし込み部材５５を樹脂製のものとしたので、球が直接金属製の連結器５と衝突することがないので、球の傷つき、連結器５の摩耗を減少させることができる。また、球落とし込み部材５５は交換が容易であるので、これが破損などした場合にも容易に修理することができるという効果を奏する。
【図面の簡単な説明】
【００１５】
【図１】誘導樋に接続された連結器を示す斜視図である。
【図２】図１に示す連結器の平面図である。
【図３】球落とし込み部材の斜視図である。
【図４】差込筒を拡大して示す斜視図である。
【図５】差込筒の各側面に位置をずらして設けた突片を示す説明図である。
【図６】差込筒の突片を球移送ホースの凹溝部に食い込ませた状態を示す説明図である。
【図７】球移送ホースの使用状態を説明する斜視図である。
【図８】球移送ホースの斜視図である。
【図９】ホースバンドの斜視図である。
【符号の説明】
【００１６】
１  球移送ホース、５  連結器、６  突片、１１  螺旋状の凹溝部、５４  差込筒、５９  覗き窓、
【図１】
2008113706.tif 000003
【図２】
2008113706.tif 000004
【図３】
2008113706.tif 000005
【図４】
2008113706.tif 000006
【図５】
2008113706.tif 000007
【図６】
2008113706.tif 000008
【図７】
2008113706.tif 000009
【図８】
2008113706.tif 000010
【図９】
2008113706.tif 000011